(57)【要約】【課題】  簡単な構成でエアバッグ内部のガスの放出を所定の設定圧力値で適時に行うことができるエアバッグ装置を提供する。【解決手段】  ガス制御装置２０は、先端部が開口部２１Ａに向けて出没自在に設けられたプランジャ部２４を備えている。プランジャ部２４は、蓋部２２の側部の傾斜面を弾性的に押圧する。エアバッグ装置１では、所定の信号が入力されたときに、インフレータ１３によってエアバッグ１２の内部にガスが供給されることにより、エアバッグ１２が膨張展開する。ここで、ガスの圧力が高くなり所定の設定圧力値を超えた場合、ガス制御装置２０では、エアバッグ１２内部のガスによって蓋部２２が押圧され、プランジャ部２４の先端部が押し込まれることにより、蓋部２２が開放される。これにより、蓋部２２による開口部２１Ａの閉塞が解除され、エアバッグ１２内部のガスが開口部２１Ａから開放される。【選択図】        図１
2005297697.tif 000002
【特許請求の範囲】
【請求項１】
ガスによって膨張するエアバッグと、
所定の信号が入力されたときに前記エアバッグの内部に前記ガスを供給するガス供給手段と、
前記エアバッグ内部のガスの圧力を制御するガス制御手段とを備え、
前記ガス制御手段は、
基体と、
この基体に形成されるとともに、前記エアバッグ内部に連通する開口部と、
この開口部に開閉自在に設けられ、少なくとも１対の側部に傾斜面が形成された蓋部と、
先端部が前記開口部に向けて出没自在に設けられ、前記傾斜面を弾性的に押圧するプランジャ部とを備えたことを特徴とするエアバッグ装置。
【請求項２】
前記プランジャ部は弾性部材を備え、
前記プランジャ部の先端部は、前記弾性部材により開口部に向けて付勢されるとともに、前記蓋部の傾斜面と面接触する傾斜面を有することを特徴とする請求項１に記載のエアバッグ装置。
【請求項３】
前記蓋部の少なくとも１対の側部に突起部が形成され、
前記突起部の厚さ方向の一方の側だけに前記傾斜面が形成されていることを特徴とする請求項１または２に記載のエアバッグ装置。
【請求項４】
前記ガス制御手段の開口部の周囲に、弾性を有するシール材を備えたことを特徴とする請求項１〜３のいずれかに記載のエアバッグ装置。
【発明の詳細な説明】
【技術分野】
【０００１】
本発明は、所定の信号が入力されたときにエアバッグを膨張展開させるエアバッグ装置に係り、特にエアバッグの展開時におけるエアバッグ内部のガスの圧力を制御する技術に関する。
【背景技術】
【０００２】
エアバッグ装置は、事故に遭遇したときに乗員を保護するための装置として車両に適用されている。エアバッグ装置は、ガスによって膨張する布製のエアバッグと、エアバッグにガスを供給するインフレータなどのガス供給手段とを備えている。このようなエアバッグ装置では、加速度センサが所定値以上の車両の加速度を検出したときに、ガス供給手段によってエアバッグの内部にガスが供給され、エアバッグが膨張展開することにより、乗員を拘束して保護する。
【０００３】
ところで，一般的にエアバッグ装置は、エアバッグの内圧を調整するためのベントホールを備えている。ベントホールからは、エアバッグ展開初期からガス漏れが生じるため、その漏れも考慮し容量の大きなインフレータを用いる必要があった。そこで、エアバッグ展開初期のガス漏れを抑制し、乗員を効果的に拘束するためにエアバッグ内部のガスを所定の設定圧力値で解放するための種々の技術が開発されている。
【０００４】
たとえば特許文献１に開示されているように、エアバッグにベントホールを形成し、このベントホールを塞ぐためにエアバッグの内側に布製のカバーを設けた技術が提案されている。この技術では、エアバッグの膨張展開の開始時にカバーによりベントホールが塞がれているが、エアバッグが乗員に当たって、エアバッグの内圧が所定の設定圧力値を超えたときに、カバーをベントホールから飛び出させて、ベントホールを開放するようになっている。
【０００５】
【特許文献１】特開平１０−７１９２３号（要約）
【発明の開示】
【発明が解決しようとする課題】
【０００６】
しかしながら、特許文献１のような技術では、布製のエアバッグの内側にベントホールを設け、その開口部を布製のカバーで塞いでいるため、エアバッグの収納時に、エアバッグの開口部およびカバーを常に定められた状態に折りたたむことが困難であったため、カバーによってベントホールを確実に塞ぐことができなかった。
【０００７】
加えて、エアバッグの膨張展開中に、カバーがばたつくことがあるため、カバーをエアバッグの所定の設定圧力値で適時にベントホールから飛び出させるのが困難であった。
【０００８】
そこで、上記のような問題を解決するために、たとえば特許文献２のようにベントホールに複数の弁体からなる制御弁を設け、これら弁体を圧電素子により作動させることが提案されている。
【０００９】
【特許文献２】特開２００１−２１３２６６号（要約）
【００１０】
しかしながら、特許文献２のような技術では、圧電素子を用いるため、エアバッグの内圧制御機構が複雑なものとなり、装置の製造コストが増大するという問題があった。
【００１１】
したがって、本発明は、簡単な構成でエアバッグ内部のガスの放出を所定の設定圧力値で適時に行うことができるともに、これにより装置の製造コストを低減することができるエアバッグ装置を提供することを目的としている。
【課題を解決するための手段】
【００１２】
本発明のエアバッグ装置は、ガスによって膨張するエアバッグと、所定の信号が入力されたときにエアバッグの内部にガスを供給するガス供給手段と、エアバッグ内部のガスの圧力を制御するガス制御手段とを備え、ガス制御手段は、基体と、この基体に形成されるとともに、エアバッグ内部に連通する開口部と、この開口部に開閉自在に設けられ、少なくとも１対の側部に傾斜面が形成された蓋部と、先端部が開口部に向けて出没自在に設けられ、傾斜面を弾性的に押圧するプランジャ部とを備えたことを特徴としている。
【００１３】
本発明のエアバッグ装置では、所定の信号が入力されたときに、ガス供給手段によってエアバッグの内部にガスが供給されることにより、エアバッグが膨張展開する。このようなエアバッグの膨張展開中にその内圧が高くなり所定の設定圧力値を超えた場合、エアバッグ内部のガスによってガス制御手段の蓋部が開口部の外側に向けて押圧される。すると、プランジャ部の先端部は、蓋部の少なくとも１対の側部に形成された傾斜面によって押し込められ、蓋部は、エアバッグ内部のガスにより開口部の外側に向けて開放される。これにより、蓋部による開口部の閉塞が解除され、エアバッグ内部のガスが開口部から放出される。この場合、プランジャ部の先端部は、蓋部の側部に形成された傾斜面による押込みが解除されるので、開口部側に押し出された元の状態に戻り、蓋部が再び開口部を閉塞することを防止する。
【００１４】
このようなエアバッグ装置では、開口部に向けて出没自在に設けられたプランジャ部の先端部によって、弾性的に蓋部の側部の傾斜面を押圧したので、確実に開口部を開閉自在に塞ぐことができる。したがって、エアバッグの膨張展開の初期に開口部からガス漏れが生じることを防止することができるとともに、プランジャ部の弾性定数を適宜設定することによって簡単な構成でエアバッグ内部のガスの放出を所定の設定圧力値で適時に行うことができ、これにより装置の製造コストを低減することができる。
【００１５】
また、上記のように蓋部で機械的に開口部を開閉自在に閉塞したので、エアバッグを常に定められた状態に設定する必要がない。さらに、ガスの供給量を低減することができるので、ガス供給手段の容量を小さくすることができ、ガス供給手段の小型化を図ることができる。これにより、装置のレイアウトの自由度を向上させることができるとともに、製造コストをより低減することができる。
【００１６】
さらに、プランジャ部は、開口部に対して出没自在であることから、蓋部の開放方向へ突出しないように構成することができるので、ガス制御手段の小型化を図ることができる。これにより、装置のレイアウトの自由度をさらに向上させることができる。加えて、ガス制御手段の蓋部が開放された後、この蓋部が開口部を再び閉塞することを防止することができるので、エアバッグ内部のガスの放出をより確実に行うことができる。
【００１７】
ここで、ガス制御手段によるエアバッグ内部のガスの開放圧力値の設定機能を高めるために種々の構成を採用することができる。
【００１８】
たとえば、プランジャ部は弾性部材を備え、プランジャ部の先端部は弾性部材により開口部に向けて付勢されるとともに、蓋部の傾斜面と面接触する傾斜面を有することができる。この場合、弾性部材としてコイルバネを用いるのが好ましい。このような態様では、プランジャ部の先端部は、蓋部の傾斜面と面接触する傾斜面を有し、かつ弾性部材によってプランジャ部の先端部に対する荷重の制御を容易に行うことができるので、プランジャ部の先端部をガスの圧力にほぼ比例した寸法で押し込めることができる。したがって、プランジャ部を設計通りに作動させることができ、ガスの圧力が設定圧力値に達したときに蓋部を確実に開放することができる。
【００１９】
また、蓋部の少なくとも１対の側部に突起部を形成し、この突起部の厚さ方向の一方の側だけに傾斜面を形成することができる。このような態様では、ガス制御手段の開口部が開放された後、蓋部の傾斜面と反対側の部分が開口部へ向けて押し出されたプランジャ部の先端部に引っかかることにより、蓋部によって開口部が再び閉塞されることを防止することができる。したがって、エアバッグ内部のガスの開放をより確実に行うことができる。
【００２０】
さらに、エアバッグの内圧をより精度よく制御するために種々の構成を用いることができる。たとえば、ガス制御手段の基体に形成された開口部の周囲に弾性を有するシール材を備えることができる。
【００２１】
加えて、エアバッグを支持するとともに、エアバッグ内部に連通する開口部を有する支持手段を備えるのが好適である。この場合、ガス制御手段の基体は、この基体の開口部と支持手段の開口部とを連通するようにして支持手段に設ける。
【発明の効果】
【００２２】
本発明のエアバッグ装置によれば、プランジャ部の先端部によって蓋部の側部の傾斜面を開口部に向けて出没自在に押圧するようにしたので、確実に開口部を開閉自在に塞ぐことができる。したがって、エアバッグの膨張展開の初期に開口部からガス漏れが生じることを防止することができるとともに、プランジャ部の弾性定数を適宜設定することによって簡単な構成でエアバッグ内部のガスの開放を所定の設定圧力値で適時に行うことができ、これにより装置の製造コストを低減することができる等の効果が得られる。
【発明を実施するための最良の形態】
【００２３】
（１）実施形態の構成
以下、本発明の一実施形態について図面を参照して説明する。図１は、本発明の一実施形態に係るエアバッグ装置１の概略構成を表す側断面図である。図２は、エアバッグ装置１に設けられたガス制御装置２０の概略構成を表す拡大側断面図である。図３は、図１のエアバッグ装置１に設けられたガス制御装置２０の概略構成を示す拡大上面図である。なお、図２は、図３のＡ−Ａ線における側断面図である。図３では、ガス制御装置２０に設けられたシール部材２３の図示は省略している。本実施形態では、ガス制御装置２０について詳述し、それ以外の構成および作用の説明は省略する。
【００２４】
エアバッグ装置１は、車両が事故に遭遇したときに乗員を保護するための装置であり、たとえば車両（図示略）の運転席（図示略）の前方に配置されたステアリングコラムＣの中央部に取り付けられる。
【００２５】
エアバッグ装置１はハウジング２を備えている。ハウジング２はフロントハウジング２Ａとリアハウジング２Ｂとを有し、これら部位２Ａ，２Ｂの境界部には取付フランジ３が設けられている。フロントハウジング２Ａの内部には、エアバッグモジュール１０が収納されている。リアハウジング２Ｂの内部には、エアバッグモジュール１０内部のガスの圧力を制御するためのガス制御装置（ガス制御手段）２０が取り付けられている。
【００２６】
エアバッグモジュール１０は、図１に示すように、それをフロントハウジング２Ａの内部で支持するための支持手段としてのリテーナ１１と、ガスによって膨張するエアバッグ１２と、所定の信号が入力されたときに、エアバッグ１２に対して高圧ガスを供給するインフレータ（ガス供給手段）１３と、中央でインフレータ１３を支持するブラケット１４とを備えている。リテーナ１１の外周部、エアバッグ１２の周縁部およびブラケット１４の外周部は、取付フランジ３において重ね合わされ、そこでボルト（図示略）などで固定されている。
【００２７】
リテーナ１１の中央部には、開口部としてベントホール１１Ａが形成されている。エアバッグ１２は、袋状に形成され、その下面に開口部を有する。エアバッグ１２は、フロントハウジング２Ａの内部に折り畳まれて収納されている。インフレータ１３は、高圧ガスを噴出するためのガス噴出口１３ａを有している。ガス噴出口１３ａは、エアバッグ１２の内部空間に連通している。インフレータ１３に入力される上記信号としては、たとえば車両に設けられた加速度センサが車両の所定値以上の加速度を検出したときに出力する信号がある。ブラケット１４の上部は、リテーナ１１の上面に対して所定の間隔をおいて位置し、そこに上記インフレータ１３が設けられている。ブラケット１４の側部には、複数の通孔（図示略）が形成されている。エアバッグ１２の内部空間は、ブラケット１４の上記通孔を通じて、リテーナ１１とブラケット１４とに挟まれた空間に連通している。
【００２８】
ガス制御装置２０は、図２〜３に示すように、開口部２１Ａが形成された基体２１を備えている。開口部２１Ａにおける基体２１の底面側は、リテーナ１１の中央に形成されたベントホール１１Ａと同一形状を有する。基体２１は、その開口部２１Ａとリテーナ１１のベントホール１１Ａとの位置が一致するようにしてリテーナ１１の下面に取り付けられている。
【００２９】
基体２１の開口部２１Ａには、そこを開閉自在に閉塞するための蓋部２２が設けられている。蓋部２２は、開口部２１Ａと同じ断面積を有する蓋部下部と、蓋部下部より大きな断面積を有する蓋部上部とを有する。蓋部下部は、蓋部２２が開口部２１Ａを閉塞しているとき、開口部２１Ａと上端の位置が一致している。蓋部上部の１対の側部の上端部は、傾斜面が形成された突起部２２ａを有している。具体的には、突起部２２ａは、直角二等辺三角形状に形成されているのが好ましく、その上面は水平方向から上側に向かって４５°の角度を有する上記傾斜面をなしている。突起部２２ａの水平方向の長さは、０．５〜１．０ｍｍ程度である。
【００３０】
基体２１の開口部２１Ａの周囲には、弾性を有するシール材２３が設けられている。この場合、シール材２３の内周部は、蓋部２２によって開口部２１Ａが閉塞されていないときに開口部２１Ａの上周部からその内側に向けて突出するように設けられている。シール材２３は、蓋部２２が開口部２１Ａを閉塞しているときには、その蓋部２２により圧縮されている。このようなシール材２３によって、開口部２１Ａと蓋部２２との間の気密性をより良好に保持することができる。
【００３１】
基体２１の開口部２１Ａの外側には、先端部が開口部２１Ａに向けて出没自在に設けられ、蓋部２２の突起部２２ａの傾斜面を弾性的に押圧する１対のプランジャ部２４が設けられている。
【００３２】
プランジャ部２４は、内部に円筒形状の空間を有するホルダ３１と、ホルダ３１内部に設けられた蓋押圧部３２と、ホルダ３１内部で蓋押圧部３２を移動自在に案内するベアリング３３と、蓋押圧部３２を開口部２１Ａへ向けて付勢する弾性部材としてのバネ３４と、蓋押圧部３２がホルダ３１の内部から外れるのを防止する蓋押圧部ホルダ３５とを備えている。
【００３３】
蓋押圧部３２は、ホルダ３１の内径と同じ径を有する本体部３２Ａと、本体部３２Ａより小さな径を有する第１棒部３２Ｂと、第１棒部３２Ｂと所定の間隔をおいてホルダ３１の後端部に一体的に設けられ、第１棒部３２Ｂと同じ径を有する第２棒部３２Ｃとを備えている。
【００３４】
蓋押圧部３２の本体部３２Ａは、ホルダ３１内部でベアリング３３により移動自在に案内される。第１棒部３２Ｂは、本体部３２Ａを貫通するようにして本体部３２Ａと一体的に形成されている。第１棒部３２Ｂの先端部は、直角二等辺三角形状に形成されているのが好ましく、その上面は水平方向から上側に向かって４５°の角度をなし、下面は水平方向から下側に向かって４５°の角度をなしている。このような第１棒部３２Ｂの先端部は、蓋押圧部ホルダ３５から外側に向けて出没自在に突出している。
【００３５】
バネ３４は、コイルバネであるのが好適であり、先端部が蓋押圧部３２の本体部３２Ａの後端部に固定され、後端部がホルダ３１の後端部に固定されている。バネ３４は、本体部３２Ａの後端部の第１棒部３２Ｂと、ホルダ３１の後端部の第２棒部３２Ｃとを囲むようにして設けられている。この場合、バネ３４の長さは、蓋押圧部ホルダ３５のホルダ３１に対する位置を変更することにより調整することができる。本実施形態では、たとえばエアバッグ１２内部のガスの圧力が開放圧力値より小さく蓋部２２が開口部２１Ａを閉塞しているとき、バネ３４は、蓋押圧部３２の第１棒部３２Ｂの先端が、蓋部２２の突起部２２ａの傾斜面上面の端部と所定の間隔をおいて当接するような長さに設定されている。
【００３６】
ここで、バネ３４は、予めその長さを調整しておくことにより、蓋押圧部３２の蓋部２２に対する初期荷重を正確に設定することができる。バネ３４の初期荷重は、エアバッグ１２内部のガスの開放圧力値に対応させて設定することができるので、このガスの開放圧力値を正確に設定することができる。
【００３７】
（２）実施形態の動作
上記のような構成を有するエアバッグ装置１の動作について、主に図４〜６を参照して説明する。図４は、エアバッグ１２内部のガスの圧力が所定の開放圧力値より小さいときのガス制御装置２０の状態を表しており、（Ａ）は概略側断面図、（Ｂ）は（Ａ）の右部分拡大側断面図である。図５は、エアバッグ１２内部のガスの圧力が開放圧力値に到達したときのガス制御装置２０の状態を表しており、（Ａ）は概略側断面図、（Ｂ）は（Ａ）の右部分拡大側断面図である。図６は、エアバッグ１２内部のガスの圧力が開放圧力値を超えたときのガス制御装置２０の状態を表している。
【００３８】
エアバッグ装置１では、たとえば車両の衝突時において、加速度センサが所定値以上の車両の加速度を検出すると、その検出信号がインフレータ１３に入力されることにより、インフレータ１３が点火し、そこで高圧ガスを発生する。発生した高圧ガスは、インフレータ１３のガス噴出口１３ａを通じてエアバッグ１２内部に供給される。すると、エアバッグ１２は、高圧ガスによって膨張展開して運転席の乗員を拘束する。
【００３９】
このようなエアバッグ１２の膨張展開では、エアバッグ１２が乗員に当たって、エアバッグ１２内部のガスの圧力が所定の開放圧力値を超えることがあるので、ガス制御装置２０は、次のようなプランジャ部２４の動作によってエアバッグ１２内部のガスの圧力制御を実行する。まず、エアバッグ１２の膨張展開開始前は、図４（Ａ），（Ｂ）に示すようにプランジャ部２４の先端部が押し出されて蓋部２２を押圧することにより、蓋部２２は基体２１の開口部２１Ａを閉塞している。
【００４０】
具体的には、プランジャ部２４では、蓋押圧部３２の第１棒部３２Ｂの先端部の下面が、蓋部２２の１対の側部の突起部２２ａの傾斜面の端部と間隔ｄをおいて当接して押圧している。この場合、蓋部２２の突起部２２ａの上面が、蓋押圧部３２の第１棒部３２Ｂの先端部の下面によってバネ３４の初期荷重で押圧されることにより、蓋部２２は基体２１の開口部２１Ａを閉塞している。
【００４１】
次いで、エアバッグ１２の膨張展開が開始されると、エアバッグ１２の内部のガスの圧力が高くなる。これにより、ガス制御装置２０では、バネ３４による初期荷重に抗して、それを開放しようとする力が蓋部２２に働き始める。
【００４２】
この場合、エアバッグ１２内部のガスの圧力が、予め設定された所定の開放圧力値に到達するまで、プランジャ部２４では、上記のようにバネ３４により付勢された蓋押圧部３２の棒部３２Ｂの先端部の下面が、蓋部２２の突起部２２ａの上面を押圧するので、図４（Ａ），（Ｂ）に示すような蓋部２２による開口部２１Ａの閉塞状態が保持される。
【００４３】
エアバッグ１２内部のガスの圧力が開放圧力値に到達すると、図５（Ａ），（Ｂ）に示すような蓋部２２の突起部２２ａの上面は、バネ３４による付勢力に抗して蓋押圧部３２の第１棒部３２Ｂの先端部をホルダ３１の後端部に向けて押し込めることにより、蓋部２２が開口部２１Ａから開放され始める。これにより、蓋部２２の突起部２２ａは、蓋押圧部２４の第１棒部３２Ｂとの互いの先端部が接触する位置に到達する。この場合、蓋部２２が開放されるのに従って、弾性を有するシール材２３が伸びることにより、基体２１の開口部２１Ａと蓋部２２との間からガスが抜けるのを防止する。
【００４４】
続いて、エアバッグ１２内部のガスの圧力が開放圧力値を超えた場合、図６に示すように蓋部２２は、図５（Ａ），（Ｂ）に示す状態よりも、さらに開放されることにより、蓋部２２による開口部２１Ａの閉塞が解除される。これにより、エアバッグ１２内部のガスが、ブラケット１４の通孔およびリテーナ１１のベントホール１１Ａを通じて、基体２１の開口部２１Ａからリアハウジング２Ｂに開放される。
【００４５】
この場合、蓋押圧部２４の第１棒部３２Ｂの先端部が、バネ３４によって付勢されて、蓋押圧部ホルダ３５の外側から開口部２１Ａに向けて押し出され、図４（Ａ），（Ｂ）に示すような元の状態に戻り、蓋部２２が再び開口部２１Ａを閉塞することを防止する。
【００４６】
このような本実施形態のエアバッグ装置１では、開口部２１Ａに向けて出没自在に設けられたプランジャ部２４の先端部によって、弾性的に蓋部２２の側部の傾斜面を押圧したので、確実に開口部２１Ａを開閉自在に塞ぐことができる。したがって、エアバッグ１２の膨張展開の初期に開口部２１Ａからガス漏れが生じることを防止することができるとともに、プランジャ部２４のバネ３４の弾性定数を適宜設定することによって簡単な構成でエアバッグ１２内部のガスの開放を所定の設定圧力値で適時に行うことができ、これにより装置の製造コストを低減することができる。
【００４７】
また、上記のように機械的に蓋部２２で開口部２１Ａを開閉自在に閉塞したので、エアバッグ１２を常に定められた状態に設定する必要がない。さらに、ガスの供給量を低減することができるので、インフレータ１３の容量を小さくすることができ、インフレータ１３の小型化を図ることができる。これにより、装置のレイアウトの自由度を向上させることができるとともに、製造コストをより低減することができる。
【００４８】
さらに、プランジャ部２４は、開口部２１Ａに対して出没自在であることから、蓋部２２の開放方向へ突出しないように構成することができるので、ガス制御装置２０の小型化を図ることができる。これにより、装置のレイアウトの自由度をさらに向上させることができる。加えて、ガス制御装置２０の蓋部２２が開放された後、この蓋部２２が開口部２１Ａを再び閉塞することを防止することができるので、エアバッグ１２内部のガスの放出をより確実に行うことができる。加えて、ガス制御装置２０の蓋部２２が開放された後、この蓋部２２が開口部２１Ａを再び閉塞することを防止することができるので、エアバッグ１２内部のガスの開放をより確実に行うことができる。
【００４９】
特に、プランジャ部２４の先端部は蓋部２２の傾斜面と面接触する傾斜面を有し、かつバネ３４によってプランジャ部２４の先端部に対する荷重の制御を容易に行うことができるので、プランジャ部２４の先端部をガスの圧力にほぼ比例した寸法で押し込めることができる。したがって、プランジャ部２４を設計通りに作動させることができ、ガスの圧力が開放圧力値に達したときに蓋部２２を確実に開放することができる。
【００５０】
また、ガス制御装置２０の開口部２１Ａが開放された後、蓋部２２の傾斜面と反対側の部分が開口部２１Ａの内側へ押し出されたプランジャ部２４の先端部に引っかかることにより、蓋部２２によって開口部２１Ａが再び閉塞されることを防止することができる。したがって、エアバッグ１２内部のガスの開放をより確実に行うことができる。
【００５１】
（３）変形例
以上、上記実施形態を挙げて本発明を説明したが、本発明は上記実施形態に限定されるものではなく、種々の変形が可能である。たとえば、上記実施形態では、プランジャ部２４を基体２１の上に設けたが、これに限定されるものではない。たとえば、プランジャ部２４を基体の内部に設ける。この場合、蓋部２２では、側部に蓋押圧部３２の棒部３２Ａの先端部に対応する位置に傾斜面を有する凹部を形成する。
【００５２】
また、上記実施形態では、蓋部２２の１対の側部に傾斜面を形成したが、もう１対の側部に傾斜面を形成してもよい。この場合、蓋部のもう１対の側部に傾斜面に対応したプランジャ部２４を設ける。
【００５３】
さらに上記実施形態では、エアバッグ装置1を車両の運転席の乗員用に設置するようにしたが、これに限定されるものではない。この場合、設置場所に応じて適宜構成を変更することができ、たとえば車両の助手席用として用いることができる。さらに、乗員用に限らず、車両外部に展開する歩行者保護用としても用いることができる。
【００５４】
加えて、上記実施形態では、加速度センサを用いてインフレータ１３に高圧ガス発生のための信号を入力したが、これに限定されるものではなく、加速度センサの代わりに種々の検出装置を用いることができる。
【図面の簡単な説明】
【００５５】
【図１】本発明の一実施形態に係るエアバッグ装置の概略構成を示す側断面図である。
【図２】図１のエアバッグ装置に設けられたガス制御装置の概略構成を示す拡大側断面図である。
【図３】図１のエアバッグ装置に設けられたガス制御装置の概略構成を示す拡大上面図である。
【図４】図１のエアバッグ装置に設けられたガス制御装置の動作を説明するための図であり、エアバッグ内部のガスの圧力が所定の圧力値より小さいときの状態を表しており、（Ａ）は概略側断面図、（Ｂ）は（Ａ）の右部分拡大側断面図である。
【図５】図４に続くエアバッグ内部のガスの圧力が所定の圧力値に到達したときのガス制御装置の状態を表しており、（Ａ）は概略側断面図、（Ｂ）は（Ａ）の右部分拡大側断面図である。
【図６】図５に続くエアバッグ内部のガスの圧力が所定の圧力値を超えたときのガス制御装置の状態を表す概略側断面図である。
【符号の説明】
【００５６】
１…エアバッグ装置、１１Ａ…ベントホール、１２…エアバッグ、１３…インフレータ（ガス供給手段）、２０…ガス制御装置（ガス制御手段）、２１…基体、２１Ａ…開口部、２２…蓋部、２２ａ…突起部、２３…シール材、２４…プランジャ部
【図１】
2005297697.tif 000003
【図２】
2005297697.tif 000004
【図３】
2005297697.tif 000005
【図４】
2005297697.tif 000006
【図５】
2005297697.tif 000007
【図６】
2005297697.tif 000008